(57)【要約】【課題】  記念となるような適宜表示を、適宜慶事物品に体裁良く施せ、子供自身が成長した後に、表示内容を正確に認識でき、両親等の記憶違いや、勘違い等によって、誤った情報を子供に伝える虞がなくなり、他の人形類等と差別化が図れ、商品価値も高くなり、より豪華な雰囲気を醸し出せ、外観上の体裁も良く、構成簡素で、耐久性に優れ、取扱い易く、量産に適し、低廉で、経済的なメモリアルプレート装置を提供する。【解決手段】  節句人形、人形台座、屏風、飾り壇、ケース、収納箱、段布、羽子板、破魔弓、その他記念となる贈り物の如き慶事物品に装着するメモリアルプレート装置Ａであって、慶事物品の任意の位置に取付手段を介して装着する額縁プレート５と、額縁プレート５の表面に接着手段等を介して固着する表示プレート１とを備え、表示プレート１の表面に、氏名、生年月日、メッセージ、贈り主等の適宜表示からなる表示部２を形成する。【選択図】図１
0003113637.tif 000002
【実用新案登録請求の範囲】
【請求項１】
節句人形、人形台座、屏風、飾り壇、ケース、収納箱、段布、羽子板、破魔弓、その他記念となる贈り物の如き適宜慶事物品に装着されるメモリアルプレート装置であって、慶事物品の任意の位置に適宜取付手段を介して装着される額縁プレートと、この額縁プレートの表面に適宜接着手段等を介して固着される表示プレートとを備え、この表示プレートの表面に、氏名、生年月日、メッセージ、贈り主等の適宜表示からなる表示部を形成したことを特徴とする慶事物品等のメモリアルプレート装置。
【請求項２】
額縁プレートの表面に表示プレートが合致する凹部を設け、この凹部周囲の額縁部分に適宜飾り模様を施したことを特徴とする請求項１記載の慶事物品等のメモリアルプレート装置。
【考案の詳細な説明】
【技術分野】
【０００１】
本考案は、例えば、初節句の時に贈られる人形類（雛人形、五月人形、鎧飾り、兜飾り、わらべ人形、御所人形、市松人形、その他）や、これら人形類に関連する台座や、屏風や、飾り壇や、ケースや、収納箱や、飾り壇の上に敷設される段布や、或いは、幸運を祈る気持ちを込めて贈られる羽子板や、破魔弓や、或いは、その他、記念となるような贈り物の如き適宜慶事物品に装着される慶事物品等のメモリアルプレート装置に関するものである。
【背景技術】
【０００２】
従来、例えば、子供が誕生して節句を初めて迎える場合等に、子供の成長と幸福を祈ると共に、子供の身代わりとなって厄を受けるという意味等から、両親や祖父母等が子供毎に人形類（雛人形、五月人形、鎧飾り、兜飾り、わらべ人形、御所人形、市松人形、その他）を贈るようにしている。
しかも、これらの人形類は、所定の期間飾られ、その期間以外は、収納箱等に収納して保管されることが多い。
【０００３】
【特許文献１】なし
【考案の開示】
【考案が解決しようとする課題】
【０００４】
そして、前述の如き人形類にあっては、例えば、人形の顔や、人形の着物の柄等の違いによって、贈り主等を記憶するようにしているが、誕生して間もない子供自身は、そのことを認識する術がなく、また、子供が成長したときに両親等の記憶違いや、勘違い等によって、正確な情報が伝えられない虞れ等もあった。
加えて、両親や祖父母等が人形類を贈る際、子供のために記念となるようなメッセージを残したいと思っても、これを実現するのに最適なものが無かった。
そこで、本考案は、前述の如き難点等を解消できるようにするのは勿論のこと、他の人形類と差別化が図れ、その商品価値も高められ、より豪華な雰囲気も醸し出せるようになり、しかも、その構成が簡素で、外観上の体裁が良く、耐久性に優れ、取扱い易く、量産に適し、比較的低廉で、経済的なメモリアルプレート装置を提供できるようにすべく案出されたものである。
【課題を解決するための手段】
【０００５】
しかして、請求項１記載のメモリアルプレート装置Ａにあっては、節句人形、人形台座、屏風、飾り壇、ケース、収納箱、段布、羽子板、破魔弓、その他記念となる贈り物の如き適宜慶事物品に装着されるメモリアルプレート装置Ａであって、慶事物品の任意の位置に適宜取付手段を介して装着される額縁プレート５と、この額縁プレート５の表面に適宜接着手段等を介して固着される表示プレート１とを備え、この表示プレート１の表面に、氏名、生年月日、メッセージ、贈り主等の適宜表示からなる表示部２を形成する手段を採用した。
【０００６】
また、請求項２記載のメモリアルプレート装置Ａにあっては、額縁プレート５の表面に表示プレート１が合致する凹部６を設け、この凹部６周囲の額縁部分に適宜飾り模様を施す手段を採用した。
【考案の効果】
【０００７】
従って、請求項１記載のメモリアルプレート装置Ａによれば、子供の氏名や、生年月日や、贈り主や、贈り主からのメッセージ等の記念となるような適宜表示を、適宜慶事物品に体裁良く施せるようになると共に、子供自身が成長した後に、表示部２から適宜表示内容を正確に認識することができるようになる。すなわち、両親等の記憶違いや、勘違い等によって、誤った情報が子供に伝えられるような虞のないものとなる。
加えて、額縁プレート５と、この額縁プレート５の表面に適宜接着手段等を介して固着される表示プレート１とを備えているので、表示プレート１の表面に、氏名、生年月日、メッセージ、贈り主等の適宜表示からなる表示部２を形成してから、これを額縁プレート５に固着することができ、例えば、人形の販売店等に表示部２の内容を注文し、完成した表示プレート１を、家庭でも簡単に額縁プレート５に固着できるようになる。
【０００８】
特に、メモリアルプレート装置Ａ自体を人形類等の慶事物品に設けたことによって、他の人形類等と差別化が図れるようになり、その商品価値も高くなり、より豪華な雰囲気を醸し出すこともでき、外観上の体裁も良いものとなる。
【０００９】
しかも、自身の構成が簡素で、耐久性に優れ、取扱い易く、量産に適し、比較的低廉で、経済的なメモリアルプレート装置Ａとなる。
【００１０】
また、請求項２記載のメモリアルプレート装置Ａによれば、表示プレート１が額縁プレート５の凹部６により綺麗に且つ正確に収まるようになって、外観上の体裁が一層良くなると共に、表示プレート１が凹部６に安定的に収まるようになって、その耐久性がより向上するようになる。
【考案を実施するための最良の形態】
【００１１】
以下、本考案を図示例に基づいて説明すると、次の通りである。
図中Ａは、例えば、初節句の時に贈られる人形類（雛人形、五月人形、鎧飾り、兜飾り、わらべ人形、御所人形、市松人形、その他）や、これら人形類に関連する台座や、屏風や、飾り壇や、ケースや、収納箱や、飾り壇の上に敷設される段布や、或いは、幸運を祈る気持ちを込めて贈られる羽子板や、破魔弓や、或いは、その他、記念となるような贈り物の如き適宜慶事物品に装着されるメモリアルプレート装置を示し、このメモリアルプレート装置Ａは、慶事物品の任意の位置に適宜取付手段を介して装着される額縁プレート５と、この額縁プレート５の表面に適宜接着手段等を介して固着される表示プレート１とを備えたものである。そして、この表示プレート１の表面に、氏名、生年月日、メッセージ、贈り主等の適宜表示からなる表示部２を形成してある。
更に、額縁プレート５の表面に表示プレート１が合致する凹部６を設け、この凹部６周囲の額縁部分に適宜飾り模様を施して構成されている。
【実施例】
【００１２】
前記表示プレート１は、例えば、横長矩形状の金属薄板（或いは、適宜樹脂板や、適宜紙材や、適宜複合材や、適宜布地等で形成された板状のものであっても良い）によって形成されている。
【００１３】
前記表示部２は、例えば、表示プレート１の表面に、適宜印刷手段や、適宜刻設手段や、或いは、豪華な雰囲気を醸し出せるように適宜刺繍等によって形成されるもので、具体的には、子供の氏名や、子供の生年月日や、贈り主からのメッセージや、贈り主の名前や、家紋や、その他の適宜表示等を設けることで構成されるようになる。
【００１４】
図中３は、表示プレート１の裏面に設けられる比較的薄い接着層で、この接着層３は、表示プレート１を額縁プレート５の表面に接着するための接着手段となるもので、具体的には、適宜接着剤や、両面着テープによって構成されるものである。尚、接着層３（接着手段）の代わりに、適宜縫着手段や、その他の適宜固着手段（例えば、リベット止め等）を採用できるものである。
【００１５】
前記額縁プレート５は、例えば、表示プレート１より一回り大きな横長矩形状の金属厚板（或いは、適宜樹脂板や、適宜紙材や、適宜複合材や、適宜厚手の布地等を利用して形成された板状のものであっても良い）によって形成されている。
更に、額縁プレート５の表面中央部分には、表示プレート１が合致する凹部６が設けられ、しかも、この凹部６を囲繞するような額縁プレート５の外周縁部分には、その外観上の体裁を良好とするような適宜飾り模様が施されている。
すなわち、額縁プレート５の凹部６に表示プレート１が綺麗に、正確に、且つ安定的に収まるように構成されており、その耐久性がより向上するよう配慮されている。
【００１６】
図中７は、額縁プレート５の裏面中央に突設されるボルトで、図中８は、このボルト７に螺合されるナットで、これらのボルト７、ナット８は、額縁プレート５を慶事物品の任意の位置に取付けるための適宜取付手段となるものである。
具体的には、台座１５等の正面等に穿設した小孔にボルト７を挿通すると共に、このボルト７にナット８を裏がわから螺着することによって、額縁プレート５を台座１５等に安定的に且つ確実に固定できるように構成されている（図１、図３参照）。
【００１７】
また、図中１０は、額縁プレート５の裏面左右に突設される折曲可能な一対の略細長帯板状の取付片で、この取付片１０は、額縁プレート５を慶事物品の任意の位置に取付けるための適宜取付手段となるものである。
具体的には、適宜布地１１に穿設したスリット孔と、布地１１の裏面に縫着される面着テープ１２に穿設したスリット孔とに、取付片１０を挿通すると共に、この取付片１０を面着テープ１２裏面がわで折曲げることによって、額縁プレート５を布地１１や面着テープ１２に、簡単に且つ安定的に固定できるように構成されている（図４、図６参照）。
【００１８】
尚、額縁プレート５を布地１１や面着テープ１２に固定した場合は、例えば、人形１６の背面がわ腰部固定した面着テープに、面着テープ１２を着脱自在に固定できるように構成することもできる（図５参照）。
【００１９】
加えて、慶事物品の任意の位置に額縁プレート５を装着する適宜取付手段は、前述の如きボルト７、ナット８や、取付片１０等に限定されるものではなく、例えば、適宜縫着手段や、その他の手段（例えば、リベット止め等）を採用できるものである。特に、人形の着物等に額縁プレート５を取付ける場合、縫着手段によれば柔らかな着物に自然な感じで取付けられるようになる。
【００２０】
ところで、メモリアルプレート装置Ａの具体的構成、形状、寸法、材質、数、配設位置、表示プレート１の具体的構成、形状、寸法、材質、配設位置、表示部２の具体的構成、形状、寸法、配設位置、接着層３の具体的構成、形状、寸法、材質、配設位置、額縁プレート５の具体的構成、形状、寸法、材質、数、配設位置、凹部６の具体的構成、形状、寸法、数、配設状態、ボルト７の具体的構成、形状、寸法、材質、数、配設位置、ナット８の具体的構成、寸法、材質、数、配設位置、取付片１０の具体的構成、形状、寸法、材質、数、配設位置、布地１１の具体的構成、形状、寸法、材質、面着テープ１２の具体的構成、形状、寸法、材質、数、配設状態、接着手段の具体的構成、取付手段の具体的構成等は図示例のもの等に限定されることなく適宜自由に設定、変更できるものである。
【００２１】
本考案は前述の如く構成されており、次にその使用例について説明すると、先ず、人形の販売店等で、人形類（雛人形、五月人形、鎧飾り、兜飾り、わらべ人形、御所人形、市松人形、その他）や、羽子板や、破魔弓や、或いは、その他、記念となるような贈り物の如き適宜慶事物品を選択すると共に、これらが贈られる子供の氏名、子供の生年月日、子供へのメッセージ、家紋、贈り主の名前等の適宜表示内容を決定して、この表示部２を表示プレート１表面に形成する。
そして、この表示プレート１を、人形類等や、これら人形類に関連する台座や、屏風や、飾り壇や、ケースや、収納箱や、飾り壇の上に敷設される段布等に予め取付けてある（或いは、注文等によって後から取付けても良い）額縁プレート５の表面に固着（例えば、接着）する。
尚、表示プレート１の額縁プレート５への固着に際しては、人形類の購入後に表示部２の表示内容を販売店等に注文し、この注文に応じて届けられた表示プレート１を、家庭で額縁プレート５に固着するようにしても良い。
【図面の簡単な説明】
【００２２】
【図１】本考案の装置を例示する分解斜視図である。
【図２】本考案の装置の使用例を示す斜視図である。
【図３】本考案の装置を例示する一部省略断面図である。
【図４】本考案の他の装置を例示する分解斜視図である。
【図５】本考案の他の装置の使用例を示す背面図である。
【図６】本考案の他の装置を例示する断面図である。
【符号の説明】
【００２３】
Ａ    メモリアルプレート装置
１    表示プレート
２    表示部
３    接着層
５    額縁プレート
６    凹部
７    ボルト
８    ナット
１０  取付片
１１  布地
１２  面着テープ
１５  台座
１６  人形
【図１】
0003113637.tif 000003
【図２】
0003113637.tif 000004
【図３】
0003113637.tif 000005
【図４】
0003113637.tif 000006
【図５】
0003113637.tif 000007
【図６】
0003113637.tif 000008